【手続補正書】
【提出日】平成17年7月11日(2005.7.11)
【手続補正１】
【補正対象書類名】明細書
【補正対象項目名】発明の名称
【補正方法】変更
【補正の内容】
【発明の名称】施設情報照会・登録システム、施設情報管理センタ装置及び端末装置
【手続補正２】
【補正対象書類名】明細書
【補正対象項目名】特許請求の範囲
【補正方法】変更
【補正の内容】
【特許請求の範囲】
【請求項１】
地図情報を表示する表示手段を備える端末装置と、
施設情報を格納する施設情報記憶手段と、
前記端末装置からの検索要求により前記施設情報記憶手段に格納された施設情報を検索する検索手段と、
前記検索手段により検索された結果を前記端末装置に送信する通信手段と、
前記端末装置から送信されてきた施設情報を前記施設情報記憶手段に登録する施設情報登録手段と、を備える施設情報管理センタ装置とからなる施設情報照会・登録システム。
【請求項２】
前記端末装置が、該端末装置の位置を検出する検出手段を有し、
前記位置検出手段で検出された現在位置を施設情報管理センタ装置に送信することを特徴とする請求項１記載の施設情報照会・登録システム。
【請求項３】
端末装置が格納する地図情報にない施設の検索を施設情報管理センタ装置に要求することを特徴とする請求項１または２記載の施設情報照会・登録システム。
【請求項４】
前記地図情報にある施設でも施設情報管理センタ装置の情報を取得できることを特徴とする請求項３記載の施設情報照会・登録システム。
【請求項５】
端末装置からの検索要求に合致する施設が複数ある場合に、各施設の累積登録回数順又は照会回数順にリストアップし、検索結果として前記端末装置に送信することを特徴とする請求項１乃至４の何れかに記載の施設情報照会・登録システム。
【請求項６】
前記施設情報管理センタ装置が前記端末装置に送信する施設情報の個数を指定できることを特徴とする請求項１乃至５の何れかに記載の施設情報照会・登録システム。
【請求項７】
施設情報を格納する施設情報記憶手段と、
端末装置からの検索要求により前記施設情報記憶手段に格納された施設情報を検索する検索手段と、
検索手段により検索された結果を前記端末装置に送信する通信手段と、
前記端末装置から送信されてきた施設情報を前記施設情報記憶手段に登録する施設情報登録手段と、を備える施設情報管理センタ装置。
【請求項８】
ユーザ毎のホームページを記憶するホームページ記憶手段を有することを特徴とする請求項７記載の施設情報管理センタ装置。
【請求項９】
施設を登録した回数及び／または登録した施設が照会を要求された回数に応じてポイントを付与し、記憶するポイント付与・記憶手段を有し、ポイント獲得状況をユーザに通知することを特徴とする請求項７又は８記載の施設情報管理センタ装置。
【請求項１０】
前記ポイント付与・記憶手段に記録された、ユーザの保有するポイント数に応じて特典を与える特典付与手段を有することを特徴とする請求項９記載の施設情報管理センタ装置。
【請求項１１】
前記特典付与手段が、ポイント数に応じて商品券、通信費の提供あるいは商品の割引を行うことを特徴とする請求項１０記載の施設情報管理センタ装置。
【請求項１２】
施設情報を登録する際に、ユーザに提供される質問を記憶する施設情報質問記憶手段を有することを特徴とする請求項７乃至１１の何れかに一項に記載の施設情報管理センタ装置。
【請求項１３】
前記施設情報記憶手段は、施設毎の登録回数及び／または施設の照会要求回数を蓄積する累積登録回数記憶手段及び／または照会回数記憶手段を有することを特徴とする請求項７乃至１２の何れか一項に記載の施設情報管理センタ装置。
【請求項１４】
累積登録回数、照会回数あるいは最新のアクセス日時情報をもとに定期的に施設情報を削除することを特徴とする請求項１３記載の施設情報管理センタ装置。
【請求項１５】
自己の位置を検出する位置検出手段と、
少なくとも道路情報及び施設情報を含む地図情報を記憶する地図情報記憶手段と、
前記位置検出手段で検出された自己の位置に対応する地図情報を前記地図情報記憶手段から読み出し、前記自己の位置とともに地図情報を表示する表示手段と、
入力された施設を前記地図情報記憶手段から検索する検索手段と、
入力された施設が前記地図記憶手段に記憶されていない場合、該施設の情報を施設情報管理センタ装置に問い合わせる問い合わせ手段とを有することを特徴とする端末装置。
【請求項１６】
前記問い合わせ手段は、前記入力された施設が前記地図情報記憶手段に記憶されている場合にも、該施設の情報を施設情報管理センタ装置に問い合わせ可能であることを特徴とする請求項１５記載の端末装置。
【手続補正３】
【補正対象書類名】明細書
【補正対象項目名】０００６
【補正方法】変更
【補正の内容】
【０００６】
【課題を解決するための手段】
本発明に係る施設情報照会・登録システム（１）は、地図情報を表示する表示手段を備える端末装置と、施設情報を格納する施設情報記憶手段と、前記端末装置からの検索要求により前記施設情報記憶手段に格納された施設情報を検索する検索手段と、前記検索手段により検索された結果を前記端末装置に送信する通信手段と、前記端末装置から送信されてきた施設情報を前記施設情報記憶手段に登録する施設情報登録手段と、を備える施設情報管理センタ装置とからなることを特徴とする。
【手続補正４】
【補正対象書類名】明細書
【補正対象項目名】０００７
【補正方法】変更
【補正の内容】
【０００７】
また、本発明に係る施設情報照会・登録システム（２）は、施設情報照会・登録システム（１）において、前記端末装置が、該端末装置の位置を検出する検出手段を有し、前記位置検出手段で検出された現在位置を施設情報管理センタ装置に送信することを特徴とする。また、本発明に係る施設情報照会・登録システム（３）は、施設情報照会・登録システム（１）または（２）において、端末装置が格納する地図情報にない施設の検索を施設情報管理センタ装置に要求することを特徴とする。また、本発明に係る施設情報照会・登録システム（４）は、施設情報照会・登録システム（３）において、前記地図情報にある施設でも施設情報管理センタ装置の情報を取得できることを特徴とする。また、本発明に係る施設情報照会・登録システム（５）は、施設情報照会・登録システム（１）乃至（４）において、端末装置からの検索要求に合致する施設が複数ある場合に、各施設の累積登録回数順又は照会回数順にリストアップし、検索結果として前記端末装置に送信することを特徴とする。さらに、本発明に係る施設情報照会・登録システム（６）は、施設情報照会・登録システム（１）乃至（５）において、前記施設情報管理センタ装置が前記端末装置に送信する施設情報の個数を指定できることを特徴とする。
【手続補正５】
【補正対象書類名】明細書
【補正対象項目名】０００９
【補正方法】変更
【補正の内容】
【０００９】
本発明に係る施設情報管理センタ装置（１）は、施設情報を格納する施設情報記憶手段と、端末装置からの検索要求により前記施設情報記憶手段に格納された施設情報を検索する検索手段と、検索手段により検索された結果を前記端末装置に送信する通信手段と、前記端末装置から送信されてきた施設情報を前記施設情報記憶手段に登録する施設情報登録手段と、を備えることを特徴とする。
【手続補正６】
【補正対象書類名】明細書
【補正対象項目名】００１０
【補正方法】変更
【補正の内容】
【００１０】
本発明に係る施設情報管理センタ装置（２）は、施設情報管理センタ装置（１）において、ユーザ毎のホームページを記憶するホームページ記憶手段を有することを特徴とする。また、本発明に係る施設情報管理センタ装置（３）は、施設情報管理センタ装置（１）または（２）において、施設を登録した回数及び／または登録した施設が照会を要求された回数に応じてポイントを付与し、記憶するポイント付与・記憶手段を有し、ポイント獲得状況をユーザに通知することを特徴とする。また、本発明に係る施設情報管理センタ装置（４）は、施設情報管理センタ装置（３）において、前記ポイント付与・記憶手段に記録された、ユーザの保有するポイント数に応じて特典を与える特典付与手段を有することを特徴とする。また、本発明に係る施設情報管理センタ装置（５）は、施設情報管理センタ装置（４）において、前記特典付与手段が、ポイント数に応じて商品券、通信費の提供あるいは商品の割引を行うことを特徴とする。
【手続補正７】
【補正対象書類名】明細書
【補正対象項目名】００１２
【補正方法】変更
【補正の内容】
【００１２】
また、本発明に係る施設情報管理センタ装置（６）は、施設情報管理センタ装置（１）乃至（５）において、施設情報を登録する際に、ユーザに提供される質問を記憶する施設情報質問記憶手段を有することを特徴とする。また、本発明に係る施設情報管理センタ装置（７）は、施設情報管理センタ装置（１）乃至（６）において、前記施設情報記憶手段は、施設毎の登録回数及び／または施設の照会要求回数を蓄積する累積登録回数記憶手段及び／または照会回数記憶手段を有することを特徴とする。さらに、本発明に係る施設情報管理センタ装置（８）は、施設情報管理センタ装置（７）において、累積登録回数、照会回数あるいは最新のアクセス日時情報をもとに定期的に施設情報を削除することを特徴とする
【手続補正８】
【補正対象書類名】明細書
【補正対象項目名】００１４
【補正方法】変更
【補正の内容】
【００１４】
本発明に係る車載端末装置は、自己の位置を検出する位置検出手段と、少なくとも道路情報及び施設情報を含む地図情報を記憶する地図情報記憶手段と、前記位置検出手段で検出された自己の位置に対応する地図情報を前記地図情報記憶手段から読み出し、前記自己の位置とともに地図情報を表示する表示手段と、入力された施設を前記地図情報記憶手段から検索する検索手段と、入力された施設が前記地図記憶手段に記憶されていない場合、該施設の情報を施設情報管理センタ装置に問い合わせる問い合わせ手段とを有することを特徴とする。また、前記問い合わせ手段は、前記入力された施設が前記地図情報記憶手段に記憶されている場合にも、該施設の情報を施設情報管理センタ装置に問い合わせ可能であることを特徴とする。